【手続補正書】
【提出日】平成27年7月29日(2015.7.29)
【手続補正１】
【補正対象書類名】明細書
【補正対象項目名】００１４
【補正方法】変更
【補正の内容】
【００１４】
本発明は、シート処理装置において、処理を行うシートが積載されるシート積載部と、シートを搬送するシート搬送部と、前記シート積載部と前記シート搬送部の間に配置され、シート積載部上のシートが処理されている間、次に処理される複数枚のシートを待機させるためにシートを重ねるシート重ね部と、前記シート重ね部から前記シート積載部に搬送された複数枚のシートのシート搬送方向の一方端を突き当てる端部ストッパと、前記シート積載部に重ねられたシートが排出されるときに、前記シート積載部での下位のシート程、前記端部ストッパに突き当てられるシートの一方端が、前記端部ストッパに近く、且つ、前記端部ストッパに突き当てられる各シートの一方端間のずらし量が、前記シート積載部での上位のシートほど少なくなるようにシート搬送方向でシートをずらして重ねるように前記シート重ね部を制御する制御部と、を備えたことを特徴とするものである。
【手続補正２】
【補正対象書類名】特許請求の範囲
【補正対象項目名】全文
【補正方法】変更
【補正の内容】
【特許請求の範囲】
【請求項１】
処理を行うシートが積載されるシート積載部と、
シートを搬送するシート搬送部と、
前記シート積載部と前記シート搬送部の間に配置され、シート積載部上のシートが処理されている間、次に処理される複数枚のシートを待機させるためにシートを重ねるシート重ね部と、
前記シート重ね部から前記シート積載部に搬送された複数枚のシートのシート搬送方向の一方端を突き当てる端部ストッパと、
前記シート積載部に重ねられたシートが排出されるときに、前記シート積載部での下位のシート程、前記端部ストッパに突き当てられるシートの一方端が、前記端部ストッパに近く、且つ、前記端部ストッパに突き当てられる各シートの一方端間のずらし量が、前記シート積載部での上位のシートほど少なくなるようにシート搬送方向でシートをずらして重ねるように前記シート重ね部を制御する制御部と、を備えたことを特徴とするシート処理装置。
【請求項２】
処理を行うシートが積載されるシート積載部と、
前記シート積載部に排出されるシートを重ねるシート重ね部と、
前記シート積載部に排出された複数枚のシートのシート搬送方向の一方端を突き当てる端部ストッパと、
前記シート重ね部によって重ねられた複数枚シートが前記シート積載部に排出されるときに、前記複数のシートのうちの前記シート積載部での最下位の第１のシートの、前記端部ストッパに突き当てられる一方端は、前記第１のシート上の第２のシートの、前記端部ストッパに突き当てられる一方端よりも前記端部ストッパに近く、前記第２のシートの一方端は、前記第２のシート上の第３のシートの、前記端部ストッパに突き当てられる一方端よりも前記端部ストッパに近く、前記第３のシートの一方端は、前記第３のシート上の第４のシートの、前記端部ストッパに突き当てられる一方端よりも前記端部ストッパに近く、且つ、前記第１のシートの一方端と前記第２のシートの一方端のずらし量が、前記第３のシートの一方端と前記第４のシートの一方端のずらし量よりも大きくなるようにシート搬送方向でシートをずらして重ねるように前記シート重ね部を制御する制御部と、を備えたことを特徴とするシート処理装置。
【請求項３】
前記第２のシートの一方端と前記第３のシートの一方端のずらし量が、前記第３のシートの一方端と前記第４のシートの一方端のずらし量よりも大きくなるようにシート搬送方向でシートをずらして重ねるように前記シート重ね部を前記制御部が制御することを特徴とする請求項２に記載のシート処理装置。
【請求項４】
処理を行うシートが積載されるシート積載部と、
前記シート積載部に排出されるシートを重ねるシート重ね部と、
前記シート積載部に排出された複数枚のシートのシート搬送方向の一方端を突き当てる端部ストッパと、
Ｎ枚のシート（Ｎは４を超える自然数）が前記シート重ね部によって重ねられ、重ねられたＮ枚のシートが前記シート積載部に排出されるときに、前記シート積載部での下位のシート程、前記端部ストッパに突き当てられるシートの一方端が、前記端部ストッパに近く、且つ、前記Ｎ枚のシートのうちの前記シート積載部での最下位の１枚目のシートの、前記端部ストッパに突き当てられるシートの一方端と、前記１枚目のシートの上の２枚目のシートの、前記端部ストッパに突き当てられるシートの一方端との間のずらし量が、前記Ｎ枚のシートのうちのＮ−２枚目のシートの、前記端部ストッパに突き当てられるシートの一方端と、前記Ｎ枚のシートのうちのＮ−１枚目のシートの、前記端部ストッパに突き当てられるシートの一方端との間のずらし量よりも大きくなるようにシート搬送方向でシートをずらして重ねるように前記シート重ね部を制御する制御部と、を備えたことを特徴とするシート処理装置。
【請求項５】
前記重ね部によって重ねられた複数のシートを前記端部ストッパへ向けて、慣性でシートの一方端が前記端部ストッパに突き当たる速度で放出する放出部を備えることを特徴とする請求項１乃至４のいずれか１項に記載のシート処理装置。
【請求項６】
前記シート重ね部は、
前記シート積載部と前記シート搬送部の間に設けられたシート搬送路から分岐し、複数枚のシートを重ねた状態で待機させる待機部と、
前記待機部で待機した複数枚のシートを前記待機部から搬送する第１搬送部と、
前記待機部に設けられ、前記待機部に待機させられた複数のシートを前記第１搬送部に搬送する第２搬送部と、を備え、
前記制御部は、前記第１搬送部を、前記シート搬送部から搬送されたシートを、正転により前記シート積載部に搬送し、逆転により前記待機部に搬送するように正逆転駆動し、前記第２搬送部を、前記第１搬送部の逆転により搬送されたシートを正転により待機部内に引き込み、逆転により前記待機部に引き込んだシートを前記第１搬送部に搬送するように正逆転駆動することを特徴とする請求項１乃至５のいずれか１項に記載のシート処理装置。
【請求項７】
前記シート重ね部は、前記シート積載部と前記シート搬送部の間に設けられたシート搬送路から分岐し、前記シート搬送部から搬送されたシートを各々待機させる複数の待機通路を備えることを特徴とする請求項１乃至５のいずれか１項に記載のシート処理装置。
【請求項８】
前記シート重ね部は、回転体の周面により構成されることを特徴とする請求項１乃至５のいずれか１項に記載のシート処理装置。
【請求項９】
前記シート搬送路及び前記待機部の分岐点よりもシート搬送方向上流に設けられ、シートを検知する検知部を備え、
前記制御部は、前記検知部からの信号に基づき、引き込んだシートを前記第１搬送部に搬送するよう前記第２搬送部を逆転させることを特徴とする請求項６記載のシート処理装置。
【請求項１０】
前記制御部は、ずらし量が順次減少するよう前記第２搬送部の逆転を開始するタイミングを順次早くすることを特徴とする請求項９記載のシート処理装置。
【請求項１１】
前記制御部は、ずらし量が順次減少するよう前記第２搬送部の逆転時のシート搬送速度を順次増加させることを特徴とする請求項９記載のシート処理装置。
【請求項１２】
前記制御部は、ずらし量が順次減少するよう前記第２搬送部の正転による前記待機部への引き込み量を順次減少させることを特徴とする請求項９記載のシート処理装置。
【請求項１３】
シートに画像を形成する画像形成部と、前記画像形成部によって画像を形成されたシートを処理する請求項１乃至１２のいずれか１項に記載のシート処理装置と、を備えたことを特徴とする画像形成装置。